(57)【特許請求の範囲】
【請求項１】
車両用空気フィルタにおいて、このフィルタが、空気が通り流れる空気流路を形成するケースの途中に設置されており、
該フィルタが、
通過する空気に含まれる異物等を除去するためのシート状のひだ折り状ろ材と、
該ろ材の形状に適合する形状であって前記ろ材を下から支持する下部くし体と、
前記ろ材の形状に適合する形状であって前記下部くし体と協働して前記ろ材を上から挟む上部くし体と、
を具備しており、
一式の前記上部及び下部のくし体は、前記ろ材の少なくとも両端部に設置されており、更に前記上部及び下部のくし体はお互いに嵌合するように組み合うので、その間に前記ろ材を固定可能であり、
更に前記対のくし体は、前記ろ材のひだ山間隔を保持するように機能しており、
前記上部くし体又は前記下部くし体のいずれか一方が該くし体から出る突起構造を備えており、前記突起構造は、前記下部くし体の下面もしくは前記上部くし体の上面から突き出て設けられており、前記ケース側の溝が前記突起構造が嵌合するように設けられるので、前記フィルタが適合するように前記ケースに挿入されることを特徴とするフィルタ。
【請求項２】
前記ろ材は、特定のピッチでひだ折りされることを特徴とする請求項１に記載のフィルタ。
【請求項３】
車両用空気フィルタにおいて、このフィルタが、空気が通り流れる空気流路を形成するケースの途中に設置されており、
該フィルタが、
通過する空気に含まれる異物等を除去するためのシート状のひだ折り状ろ材と、
該ろ材の形状に適合する形状であって前記ろ材を下から支持する下部くし体と、
前記ろ材の形状に適合する形状であって前記下部くし体と協働して前記ろ材を上から挟む上部くし体と、
を具備しており、
一式の前記上部及び下部のくし体は、前記ろ材の少なくとも両端部に設置されており、更に前記上部及び下部のくし体はお互いに嵌合するように組み合うので、その間に前記ろ材を固定可能であり、
更に前記対のくし体は、前記ろ材のひだ山間隔を保持するように機能しており、
前記上部くし体及び前記下部くし体が共に該両くし体から出る突起構造を備えており、前記突起構造は、前記下部くし体の下面及び前記上部くし体の上面から突き出て設けられるので、該突起構造は前記フィルタの上下方向にそれぞれ突起しており、前記ケース側の溝が前記上下の突起構造が嵌合するように設けられるので、前記フィルタが適合するように前記ケースに挿入されることを特徴とするフィルタ。
【請求項４】
前記ろ材は、特定のピッチでひだ折りされることを特徴とする請求項３に記載のフィルタ。
【請求項５】
前記上部くし体及び前記下部くし体の突起構造の位置がお互いにずらされていることを特徴とする請求項３又は４のいずれかに記載のフィルタ。
【請求項６】
前記上部くし体又は前記下部くし体の少なくとも何れか一方の谷部に、前記ろ材に面するように小型の突起部が設けられることを特徴とする請求項１から５のいずれか一項に記載のフィルタ。
【請求項７】
前記上部及び下部のくし体の設置位置は前記ろ材の端部ではなく前記ろ材の端部より内側の部分に配置されることを特徴とする請求項１から６のいずれか一項に記載のフィルタ。
【請求項８】
前記上部くし体及び下部のくし体の側面には、前記これらのくし体の剛性を高める壁構造が設けられることを特徴とする請求項１から７のいずれか一項に記載のフィルタ。
【請求項９】
前記上部及び下部のくし体は、ポリプロピレン等の樹脂、又はアルミニウム、ステンレス等の金属から形成されることを特徴とする請求項１から８のいずれか一項に記載のフィルタ。
【発明の詳細な説明】
【０００１】
【発明の属する技術分野】
本発明は、車両用空気フィルタに関する。
【０００２】
【従来の技術】
車両においてエンジン燃焼用空気の取り入れダクトの途中には、空気中の異物あるいは汚染物質を除去するための空気浄化用フィルタが装備される。従来の一般的な車載用空気浄化フィルタの構成について、図９を参照して説明する。従来のフィルタ５０は、折り機などにてひだ折りしたろ材５１と、ひだ折りろ材５１のひだ山間隔を固定するためのくし体５２と、ひだ折りろ材５１のひだ山間隔を固定し収納する為の枠体５３とを具備する。
図９に示す従来のフィルタ５０においては、フィルタ用ろ材５１を、ひだ山間隔を保つ為に設けられたジグザグ形状部を有する枠体５３（樹脂枠など）に収納して、更にひだ山間隔を保持する為にくし体５２（樹脂製クシなど）にてひだ折りろ材５１を抑えていた。
【０００３】
上述したような従来のフィルタ５０の構成では、構成全体（フィルタ＋枠体＋くし体）、特に枠体、が重くなる、枠体製作のため成形型が大型になりコストが掛かる、などの問題があった。また、ここで単純に枠体５３を構成から外すと、ろ材５１の片面しかひだ山間隔の保持が出来ず、ろ材ひだ山同士の密着などにより圧損上昇を引き起こす可能性があった。
【０００４】
【発明が解決しようとする課題】
本発明は、上述した事情に鑑みなされたもので、フィルタ自体の機能や性能を阻害することなく、従来の枠体を削除し、くし体をフィルタの上下に使用することにより、フィルタひだ山間隔を保持し、全体として従来より軽量且つ安価な構造のフィルタを提供することを目的としている。
【０００５】
本発明のその他の目的は、従来の枠体に比べて小型のくし体を使用することにより、複数組のくし体を一度に製作し、更にコストの削減を図る。
【０００６】
【課題を解決するための手段】
本発明の請求項１又は２に記載した形態では、フィルタは、上述した目的を達成するために、対の上部及び下部のくし体を具備しており、更に前記上部くし体又は前記下部くし体のいずれか一方が該くし体から出る突起構造を備えており、前記フィルタを収容するケース側の溝に前記突起構造が嵌合するように設けられるので、前記フィルタが適合するように前記ケースに挿入されることを特徴とする。
【０００７】
この形態により、従来必要であった枠体を削除可能であり、これにより前記フィルタ全体が軽量化できると共に材料費等を含みコストも低減可能である。また前記上下のくし体の突起構造と前記ケースの溝の協働により、前記ケース内に前記フィルタが所定位置に的確に設置されるので、空気の流れに漏れが生じたり、不適切な設置による不具合が生じることもない。
【０００８】
本発明の請求項３又は４に記載した形態では、フィルタは、フィルタが具備する上部くし体及び下部くし体の両者から出る突起構造を備えていて、前記フィルタの表面、裏面のいずれが上になっても前記フィルタを収容するケース側の溝に前記上と下の突起構造が共に嵌合するように、前記フィルタが前記ケースに挿入されることを特徴とする。
【０００９】
この形態により、前述の請求項１又は２の形態の効果に加えて、前記ケース内を流れる空気の流れの方向に係わらず、従って前記フィルタの表面、裏面のいずれが上になっても前記フィルタを前記ケースに挿入可能である。
【００１０】
本発明の請求項５に記載した形態では、フィルタの上部くし体及び下部くし体から出る突起構造の位置がずらされることにより、前記フィルタの設置方向に制限がある場合に、誤組付けを防止可能である。
【００１１】
本発明の請求項６又は７に記載した形態は共に、前記ろ材が前記くし体から外れることを防止する効果を有する。
【００１２】
本発明の請求項８に記載した形態のくし体側面の壁構造により、くし体の剛性が向上される。
【００１３】
【発明の実施の形態】
以下、図面に基づいて本発明の第１の実施の形態のフィルタを詳細に説明する。図１から３は本発明の第１の実施の形態に係るフィルタ１を示す。図１においてフィルタ１は、空気が内部を通過する空気の流路を形成する長方形のケース８内に収容される。図３において示すようにフィルタ１は、一定ピッチで波状にひだ折りされた長方形のろ材２を具備しており、更にろ材２のひだ折り形状に適合する形状を有していてろ材２を下から支持する下部くし体４と、やはりろ材２のひだ折り形状に適合する形状を有していて下部くし体４と嵌合するように協働してろ材２を上から挟む上部くし体３と、を具備する。図１に示すように上部及び下部のくし体３，４はろ材２の少なくとも両端部に配置される。上部くし体３は上部嵌合部５を両端部に有しており、下部くし体４は、上部嵌合部５に嵌合する下部嵌合部６をその両端部に有する。対の上部及び下部のくし体３，４のお互いに嵌合する形状及びこれらの上部及び下部嵌合部が嵌合することにより、ろ材２はフィルタ１内の所定位置に固定される。
ろ材２のひだは図面では一定ピッチの波状に示されるが、これとは別に例えば、三角形ひだ等の別の形状であっても良い。
【００１４】
図３に示すように、下部くし体４はその下面から突き出る突起構造７を備えており、この突起構造７と嵌合するような溝９が図２に示すように、ケース８に設けられており、これにより突起構造７が溝９に適合するようにケース８内にフィルタ１を挿入することが出来る。更に突起構造７と溝９が嵌合することにより、ケース８内のフィルタ１の位置は固定される。本実施の形態では突起構造７は下部くし体４に備えられているが、上部くし体３の上部から上に突き出るように設けられて、それに適合する溝がケース８に設けられても良い。
【００１５】
上記の構成により、従来必要であった枠体を削除可能であり、これにより前記フィルタ全体が軽量化できると共にコストも低減可能である。突起構造７と溝９の嵌合により、前記ケース内に前記フィルタが所定位置に的確に設置され保持されるので、不適切な設置による不具合が生じることもない。
【００１６】
図４には第１の実施の形態とは異なる第２の実施の形態のフィルタ１１が示される。ここでは図１から３に示される第１の実施の形態のフィルタ１の要素部分と同じ又は同様であるそれの要素部分は、同じ参照符号により指定されている。
第２の実施の形態においては、下部くし体４と同様に上部くし体３も突起構造１２をその上面から突き出るように具備する。従ってこの構成により、前述の第１の形態の効果に加えて、ケース８内を流れる空気の流れの方向に係わらず、フィルタ１１の表面又は裏面のいずれが上になるように組み込まれたとしてもフィルタ１１はケース８に挿入可能である。
【００１７】
図５には第２の実施の形態の変形の第３の実施の形態のフィルタ１５が示される。ここでは図４に示される第２の実施の形態のフィルタ１１の要素部分と同じ又は同様であるそれの要素部分は、同じ参照符号により指定されている。第３の実施の形態においては、下部くし体４の突起構造１６と上部くし体３の突起構造１７がお互いにずれるような位置に設けられる。従ってこの構成では、フィルタ１５の上部くし体及び下部くし体から出る突起構造の位置がお互いにずらされることにより、フィルタ１５がケース８内に挿入出来る方向は１つだけとなり、前記フィルタの設置方向に制限がある場合に、誤組付けを防止可能である。
【００１８】
図６には第１の実施の形態の変形の第４の実施の形態のフィルタ２１が示される。ここでは図１から３に示される第１の実施の形態のフィルタ１の要素部分と同じ又は同様であるそれの要素部分は、同じ参照符号により指定されている。第４の実施の形態においては、上部くし体３のろ材２に面する内面に小型の突起部２２が設けられており、この突起部２２がろ材２に係合することにより、ろ材２が上部くし体３から外れることを防止する。小型の突起部はろ材２に面するように、下部くし体４に設けられても良い。
【００１９】
図７には第１の実施の形態の更に変形の第５の実施の形態のフィルタ２５がケース２０に組み込まれた状態が示される。ここでは図１から３に示される第１の実施の形態のフィルタ１の要素部分と同じ又は同様であるそれの要素部分は、同じ参照符号により指定されている。第５の実施の形態においては、図７に示すように、上部及び下部のくし体３，４は第１の実施の形態の場合より内側に配置されており、これによりろ材２が上部及び下部くし体３，４から外れることを防止する。
【００２０】
図８には第１の実施の形態の変形の第６の実施の形態のフィルタ３１が示される。ここでは図１から３に示される第１の実施の形態のフィルタ１の要素部分と同じ又は同様であるそれの要素部分は、同じ参照符号により指定されている。第６の実施の形態においては、第１の実施の形態の上部及び下部くし体３，４の側面に壁構造３２が設けられており、これにより上部及び下部のくし体３，４の剛性が向上される。
【００２１】
本発明の上部及び下部のくし体は、ポリプロピレン等の樹脂、又はアルミニウム、ステンレス等の金属から形成されることが好ましいが、これら以外の適当な材料で形成されても良い。
また上部及び下部嵌合部５，６の構造は、上部嵌合部５が開口を有しており、下部嵌合部６はフック上の部分を有しており、フックが開口に係合するような構成であるが、例えばクランプ、ボルト止め等のこれとは別の当業者には既知の方法で構成されても良い。
【図面の簡単な説明】
【図１】図１は、本発明の第１の実施の形態のフィルタがケースに収容された状態の平面図である。
【図２】図２は、図１の線Ａ−Ａによる断面図である。
【図３】図３は、本発明の第１の実施の形態のフィルタの“Ｂ”詳細を示す分解立体図である。
【図４】図４は、本発明の第２の実施の形態のフィルタの詳細を示す分解立体図である。
【図５】図５は、本発明の第３の実施の形態のフィルタの詳細を示す分解立体図である。
【図６】図６は、本発明の第４の実施の形態のフィルタの詳細を示す分解立体図である。
【図７】図７は、本発明の第５の実施の形態のフィルタがケースに収容された状態の平面図である。
【図８】図８は、本発明の第６の実施の形態のフィルタの詳細を示す分解立体図である。
【図９】図９は、従来のフィルタの分解立体図である。
【符号の説明】
１，１１，１５，２１，２５，３１…フィルタ
２…ろ材
３…上部くし体
４…下部くし体
５…上部嵌合部
６…下部嵌合部
７…突起構造
８…ケース
９…溝
１２…突起構造
【図１】
0003693617.tif 000002
【図２】
0003693617.tif 000003
【図３】
0003693617.tif 000004
【図４】
0003693617.tif 000005
【図５】
0003693617.tif 000006
【図６】
0003693617.tif 000007
【図７】
0003693617.tif 000008
【図８】
0003693617.tif 000009
【図９】
0003693617.tif 000010